(57)【特許請求の範囲】
【請求項１】
複数の気筒を有するように構成されたエンジン本体と、
前記気筒に燃料を供給するように構成された燃料供給手段と、
前記複数の気筒それぞれの排気側に独立して連通する通路からなる複数の独立通路部、又は、前記複数の気筒の内のいずれか一つの気筒の排気側に独立して連通する通路と、排気順序が連続しない複数の気筒の排気側のそれぞれに連通する通路とからなる複数の独立通路部、
当該複数の独立通路部の下流側で、これら独立通路部を集合させる集合部、及び、
各独立通路部における前記集合部との接続端部に設けられかつ、当該各独立通路部の流路を縮小させる絞り部を含んで構成された排気通路と、
前記絞り部よりも下流側の前記排気通路上に配置されたタービン及び前記エンジン本体に対する吸気通路上に配置されたコンプレッサを有するターボ過給機と、
前記タービンよりも下流側に配置されかつ、前記排気通路を通じて排出される排気ガスを浄化するように構成された触媒と、
前記排気通路における絞り部よりも下流側の前記集合部でかつ、前記タービンよりも上流側に接続されると共に、前記吸気通路を流れる新気を、前記エンジン本体をバイパスして前記排気通路に供給可能に構成された、単一のバイパス通路と、を備え、
前記触媒の温度を高める運転モードにおいては、前記絞り部を排気ガスが通過する際のエゼクタ効果により、前記バイパス通路を通じて新気を前記排気通路に供給しつつ、前記燃料供給手段は、前記タービンに未燃燃料が供給されるように前記燃料を供給するターボ過給機付エンジンの制御装置。
【請求項２】
請求項１に記載のターボ過給機付エンジンの制御装置において、
前記バイパス通路は、前記吸気通路における前記コンプレッサよりも下流側に接続されているターボ過給機付エンジンの制御装置。
【請求項３】
請求項１又は２に記載のターボ過給機付エンジンの制御装置において、
前記触媒の温度を高める運転モードは、前記触媒が未活性のときに行うターボ過給機付エンジンの制御装置。
【請求項４】
請求項１〜３のいずれか１項に記載のターボ過給機付エンジンの制御装置において、
前記触媒の温度を高める運転モードは、前記エンジン本体の運転状態が所定回転数以下の低回転域において行うターボ過給機付エンジンの制御装置。
【発明の詳細な説明】
【技術分野】
【０００１】
ここに開示する技術は、ターボ過給機付エンジンの制御装置に関する。
【背景技術】
【０００２】
特許文献１には、排気通路の途中に絞り部を設けることによって、排気流速の向上による過給効率の向上と、エゼクタ効果による掃気性の向上と、を同時に達成するターボ過給機付エンジンシステムが開示されている。具体的に特許文献１のシステムは、直列４気筒のエンジンに適用されており、排気順序が隣り合わない第２及び第３気筒の排気側に接続される通路部と、第１気筒の排気側に接続される通路部と、第４気筒の排気側に接続される通路部との３つの独立通路部を備えると共に、それらの独立通路部の下流端に流路を縮小する絞り部を設けた上で、集合部において集合させている。この構成によって、気筒から排出された排気ガスは、絞り部において流速が高められる結果、他の気筒に接続されている独立通路部へ膨張することなく、ターボ過給機のタービンに高い流速の排気ガスを供給することが可能になって、過給効率が向上するようになると共に、ブローダウンガスが絞り部を通過する際のエゼクタ効果により、当該気筒よりも点火順序が先行する気筒、言い換えると膨張行程後半にある別の気筒の排気ガスを吸い出すことが可能になる結果、各気筒の掃気性が向上して低回転域におけるトルクの向上、ひいては燃費の向上が図られる。
【０００３】
また、特許文献２には、排気順序が隣り合わない、第１及び第４気筒に接続される独立通路と、第２及び第３気筒に接続される独立通路とのそれぞれに絞り部を設けて集合させることで、ブローダウン時のエゼクタ効果により、排気干渉を防止するエンジンシステムが開示されている。
【先行技術文献】
【特許文献】
【０００４】
【特許文献１】特開２０１０−１８５４０３号公報
【特許文献２】特開平４−３６０２３号公報
【発明の概要】
【発明が解決しようとする課題】
【０００５】
ところで、エンジンの排気ガス中の有害成分を浄化させる触媒は、その浄化機能を十分に発揮させるには触媒温度を活性温度にしなければならず、触媒温度が低いときには、活性温度にまで触媒の温度を高める必要がある。こうした触媒の昇温には、一般的には、点火タイミングを圧縮上死点以降に大幅に遅らせることによって、エンジン本体から排出される排気ガスの温度を高くする、いわゆる点火リタードと呼ばれる手法が採用されている。
【０００６】
しかしながら、点火リタードによる触媒の昇温は、排気損失を増大させることと等価であるから、燃費の悪化を招くことになる。特にターボ過給機付エンジンにおいては、エンジン本体と触媒との間に介設されるタービンの熱容量が大きいため、点火リタードにより高温の排気ガスをエンジン本体から排出しても、その高温の排気ガスが触媒に供給される前に、タービンにおいて温度が低下してしまうようになる。つまり、ターボ過給機付エンジンにおいては、点火リタードによる触媒の昇温は、燃費を大幅に悪化させてしまうことから、低燃費で触媒を昇温させる手法が待ち望まれている。
【０００７】
ここに開示する技術は、かかる点に鑑みてなされたものであり、その目的とするところは、ターボ過給機付エンジンにおいて、触媒の温度を速やかに上昇させかつ、それを低燃費で可能にすることにある。
【課題を解決するための手段】
【０００８】
ここに開示するターボ過給機付エンジンの制御装置は、複数の気筒を有するように構成されたエンジン本体と、前記気筒に燃料を供給するように構成された燃料供給手段と、前記複数の気筒それぞれの排気側に独立して連通する通路からなる複数の独立通路部、又は、前記複数の気筒の内のいずれか一つの気筒の排気側に独立して連通する通路と、排気順序が連続しない複数の気筒の排気側のそれぞれに連通する通路とからなる複数の独立通路部、当該複数の独立通路部の下流側で、これら独立通路部を集合させる集合部、及び、各独立通路部における前記集合部との接続端部に設けられかつ、当該各独立通路部の流路を縮小させる絞り部を含んで構成された排気通路と、前記絞り部よりも下流側の前記排気通路上に配置されたタービン及び前記エンジン本体に対する吸気通路上に配置されたコンプレッサを有するターボ過給機と、前記タービンよりも下流側に配置されかつ、前記排気通路を通じて排出される排気ガスを浄化するように構成された触媒と、前記排気通路における絞り部よりも下流側の前記集合部でかつ、前記タービンよりも上流側に接続されると共に、前記吸気通路を流れる新気を、前記エンジン本体をバイパスして前記排気通路に供給可能に構成された、単一のバイパス通路と、を備える。
【０００９】
そして、前記触媒の温度を高める運転モードにおいては、前記絞り部を排気ガスが通過する際のエゼクタ効果により、前記バイパス通路を通じて新気を前記排気通路に供給しつつ、前記燃料供給手段は、前記タービンに未燃燃料が供給されるように前記燃料を供給する。
【００１０】
ここで、例えばエンジン本体が３気筒エンジンであるときには、独立通路部は、各気筒に対応して３つになる一方、エンジン本体が４気筒エンジンであるときには、独立通路部は、各気筒に対応して４つにしてもよいし、４つの気筒の内、排気順序が連続しない２つの気筒をまとめることによって、独立通路部を合計３つにしてもよい。
【００１１】
この構成によると、排気通路における独立通路部と集合部との間に絞り部を備えていることで、気筒からのブローバイガスが絞り部を通過する際のエゼクタ効果により、当該気筒とは別の気筒、正確には膨張行程にある気筒の排気ガスが吸い出される。こうして、掃気性が向上する結果、燃費の向上が図られる。また、絞り部によって排気ガスの流速が高められるため、絞り部よりも下流に配置されているターボ過給機のタービンに、高速の排気ガスを供給することが可能になるから、過給効率の向上が図られる。
【００１２】
前記の構成ではまた、絞り部の下流側にバイパス通路が接続されており、触媒の温度上昇を行う運転モードにおいては、前述したエゼクタ効果により、バイパス通路を通じて、吸気通路を流れる空気がエンジン本体をバイパスして排気通路に導入される。尚、例えばバイパス通路の途中に、開閉バルブ又は流量調整バルブを設けることによって、新気の供給、停止の切り替え、又は、供給量の調整を行うようにしてもよい。
【００１３】
触媒の温度上昇を行う運転モードにおいてはまた、燃料供給手段によって、タービンに未燃燃料が供給されるように燃料が供給される。例えば燃料リッチとなるように、必要量よりも多い燃料を気筒に供給することによって、未燃燃料を気筒から排出させて、それがタービンに供給されるようにしてもよい。燃料供給手段が、燃料を気筒内に直接供給（噴射）する構成であるときには、例えば圧縮上死点以降の膨張行程において燃料を気筒内に噴射する後段噴射を利用してもよい。
【００１４】
こうして、触媒の温度上昇を行う運転モードにおいては、ターボ過給機のタービンに、新気と未燃燃料とが供給されるようになり、このタービンにおいて、新気及び未燃燃料が撹拌されて酸化反応が生じる。その酸化反応の結果、高温となったガスは、タービンよりも下流側に配置されている触媒に供給されるようになるから、触媒の温度が上昇する。
【００１５】
このように、エンジン本体、タービン及び触媒の順番に並ぶ排気側の構成において、タービンにおいて酸化反応を行って、高温のガスを触媒に供給することで、タービンの熱容量の影響を無くすことが可能になるから、エンジン本体から高温の排気ガスを排出する点火リタードと比較して、触媒の温度上昇に極めて有利になる。このことは、触媒の温度を速やかに上昇させると共に、燃費が向上する。
【００１６】
前記バイパス通路は、前記吸気通路における前記コンプレッサよりも下流側に接続されている、としてもよい。
【００１７】
こうすることで、コンプレッサによる過給圧と、前述したエゼクタ効果とが組み合わさって、吸気通路から排気通路に、必要十分な量の新気を供給することが可能になる。このことは、タービンにおける酸化反応を十分かつ確実に行って、触媒の昇温に有利になると共に、排気エミッション性の悪化を回避する上でも有利になる。
【００１８】
また、相対的に高圧である排気側に新気を供給するために、例えば二次エアポンプ等の別途の駆動源は不要であり、エンジンシステムの簡素化が図られると共に、燃費の向上にも有利になる。
【００１９】
前記触媒の温度を高める運転モードは、前記触媒が未活性のときに行う、としてもよい。前記の構成によって、触媒を早期にかつ低燃費で活性化させることが実現する。
【００２０】
また、前記触媒の温度を高める運転モードは、前記エンジン本体の運転状態が所定回転数以下の低回転域において行う、としてもよい。
【００２１】
前記のエゼクタ効果は、エンジン本体の運転状態が低回転域において特に有効になるため、十分な量の新気を排気側に導入して、触媒の温度が速やかに上昇する。
【発明の効果】
【００２２】
以上説明したように、前記のターボ過給機付エンジンの制御装置によると、触媒の温度上昇を行う運転モードにおいては、バイパス通路を介して排気側に導入した新気と、未燃燃料とをターボ過給機のタービンに供給し、酸化反応を発生させるため、高温のガスを、温度を低下させることなく触媒に供給することが可能になるから、触媒の温度を速やかにかつ低燃費で上昇させることが可能になる。
【図面の簡単な説明】
【００２３】
【図１】エンジンシステムの構成を示す概略図である。
【図２】エンジンシステムの構成を示す概略図である。
【図３】エンジンシステムにおける排気側の構成を示す正面図である。
【図４】エンジンシステムにおける排気側の構成を示す一部断面図であり、（ａ）絞り部を構成する可変絞り弁を開けた状態、（ｂ）可変絞り弁を閉じた状態である。
【図５】バイパス通路上に配置されるコントロールバルブの構成を示す一部破断の斜視図である。
【図６】エンジンシステムにおける、（ａ）コントロールバルブの開度とタービンの温度との関係、（ｂ）コントロールバルブの開度と触媒上流の温度との関係、（ｃ）コントロールバルブの開度と触媒下流における酸素濃度の関係、（ｄ）コントロールバルブの開度と触媒下流におけるＨＣ量との関係、の一例をそれぞれ示す図である。
【図７】実施例と比較例とのそれぞれについて、触媒上流の温度と燃費との関係の一例を示す図である。
【発明を実施するための形態】
【００２４】
以下、実施形態に係るエンジンシステムを図面に基づいて説明する。尚、以下の好ましい実施形態の説明は、本質的に例示に過ぎない。図１、２において、１はエンジン（エンジン本体）であって、この例では、第１〜第４の４つの気筒Ｃ１〜Ｃ４を有する直列４気筒の火花点火式エンジンとされている。尚、以下の説明において、各気筒を区別する必要のないときは、気筒を単に符合Ｃを用いて示す場合もある。２はシリンダブロック、３はシリンダヘッド、４はピストンであり、これらシリンダブロック２とシリンダヘッド３とピストン４とによって燃焼室５が形成されている。燃焼室５には、シリンダヘッド３に形成された吸気ポート６及び排気ポート７が開口し、燃焼室５の略中心部には点火プラグ８が配設されている。吸気ポート６は吸気弁９により開閉され、排気ポート７は排気弁１０により開閉される。
【００２５】
シリンダヘッド３にはまた、気筒Ｃ毎に、気筒Ｃ内に燃料を直接噴射するインジェクタ１１が取り付けられている。インジェクタ１１は、この例では、シリンダヘッド３の吸気側に取り付けられており、燃焼室５の中央付近に向かって、燃料を直接噴射するように構成されている。
【００２６】
吸気弁９及び排気弁１０を駆動する動弁機構１２は、吸気側及び排気側のそれぞれにＶＶＴ（Variable Valve Timing）を備えている。ＶＶＴは、吸気弁９及び排気弁１０の開弁期間を維持したまま、バルブタイミング（バルブ開閉弁時期）を平行移動的に前後させる。ＶＶＴの方式としては、バルブタイミングを連続的に変化させるものでも、２以上の段階的に変化させるものでもよい。この動弁機構１２（つまりＶＶＴ）を制御することによって、吸気弁９の開弁時期を吸気上死点前とする一方で、排気弁１０の閉弁時期を吸気上死点後として、吸気弁９と排気弁１０とを共に開弁するオーバーラップ期間を設定することが可能である。尚、ここでは、後述の通りオーバーラップ期間を設定可能であればよく、動弁機構１２は、例えば吸気側及び／又は排気側のＶＶＴに加え、又は、そのＶＶＴに代えて、バルブのリフト量を連続的に変更可能なＣＶＶＬ（Continuously Variable Valve Lift）を備えるようにしてもよい。
【００２７】
吸気ポート６は、吸気マニホールドによって形成される独立分岐吸気通路２１を介してサージタンク２２に接続されている。サージタンク２２には、１本の共通吸気通路２３が接続されている。この共通吸気通路２３には、その上流側から下流側へ順次、エアクリーナ２４，スロットル弁２５，ターボ過給機２６のコンプレッサ２６Ａ、インタークーラ２７が配設されている。
【００２８】
このエンジン１において、各気筒Ｃ１、Ｃ２、Ｃ３、Ｃ４の点火順序（排気行程の順序ともいえる）は、第１気筒Ｃ１、第３気筒Ｃ３、第４気筒Ｃ４、第２気筒Ｃ２の順とされている。つまり、中央の第２気筒Ｃ２と第３気筒Ｃ３とは、点火順序（排気行程の順序）が互いに隣り合わない設定とされている。図２に示すように、第１〜第４気筒Ｃ１〜Ｃ４に連通する排気ポート７は、エンジン１の他側面に開口しているものの、点火順序が隣り合わない第２気筒Ｃ２と第３気筒Ｃ３の排気ポート７は、シリンダヘッド３内で集合された状態で、エンジン１の他側面に開口されている。従って、エンジン１の他側面に形成される排気ポート７の開口は、合計３つである。
【００２９】
エンジン１の他側面には、図１〜４に示すように、排気通路３０の一部を構成する排気マニホールド３１が取り付けられる。この排気マニホールド３１は、互いに独立した第１〜第３の独立通路部３１Ａ、３１Ｂ、３１Ｃを有している。第１独立通路部３１Ａが第１気筒Ｃ１の排気ポート７に連通し、第２独立通路部３１Ｂが、第２及び第３気筒Ｃ２、Ｃ３の排気ポート７に連通し、第３独立通路部３１Ｃが、第４気筒Ｃ４の排気ポート７に連通する。
【００３０】
排気マニホールド３１の出口端にはハウジング３２が接続されている。ハウジング３２は、その上流側においては、排気マニホールド３１の独立通路部３１Ａ、３１Ｂ、３１Ｃにそれぞれ連通する独立通路部３２Ａ、３２Ｂ、３２Ｃを形成すると共に、後述する可変絞り弁３２０を有する絞り部として機能し、それよりも下流側においては、各独立通路部３２Ａ、３２Ｂ、３２Ｃからの排気が合流する集合部３２Ｄを形成する。ここで、可変絞り弁３２０は、３つの独立通路部３２Ａ、３２Ｂ、３２Ｃの各通路断面積を、その独立状態を維持しつつ変更するバルブである。可変絞り弁３２０を含むハウジング３２の詳細構造は、後述する。
【００３１】
ハウジング３２の下流側には、ターボ過給機２６のハウジングが接続されている。ハウジング内には、ターボ過給機２６のタービン２６Ｂが配設されている。タービン２６Ｂは、コンプレッサ２６Ａに対して連結軸２６Ｃによって連結されており、排気ガスのエネルギを受けてタービン２６Ｂが回転駆動されることによって、コンプレッサ２６Ａが回転駆動されて、過給が行われる。
【００３２】
排気通路３０におけるタービン２６Ｂの下流側には、図１に示すように、排気ガス中の有害成分を浄化する触媒３３が接続されている。この触媒３３は、ケースと、そのケース内の流路に配置した、例えば三元触媒とを備えて構成されている。
【００３３】
そうして、このエンジン１においては、共通吸気通路２３におけるコンプレッサ２６Ａの下流側と、排気通路３０におけるタービン２６Ｂの上流側との間に、バイパス通路３４が設けられており、このバイパス通路３４上に、流量調整弁としてのコントロールバルブ３４１が介設されている。
【００３４】
図１において符号１００は、エンジン１の動作を電気的に制御するＥＣＵ（Engine Control Unit）である。ＥＣＵ１００は、ＣＰＵ、メモリ、カウンタタイマー群、インターフェース並びにこれらのユニットを接続するバス等を有するマイクロプロセッサで構成された制御ユニットである。ＥＣＵ１００は、インジェクタ１１の制御を通じた燃料供給量、スロットル弁２５の制御を通じたスロットル開度、及び、点火プラグ８の制御を通じた点火時期といった一般的な燃焼制御に加え、動弁機構１２（ＶＶＴ）の駆動制御を行う。
【００３５】
さらにＥＣＵ１００は、可変絞り弁３２０の開度調整制御も行う。具体的にはＥＣＵ１００は、少なくとも過給領域の所定の低回転領域において、後述するように、可変絞り弁３２０を閉弁することによって、ハウジング３２における独立通路部３２Ａ、３２Ｂ、３２Ｃの各通路断面積を最大面積時よりも縮小させる絞り制御を実行する。
【００３６】
加えて、ＥＣＵ１００は、バイパス通路３４のコントロールバルブ３４１の開度調整制御を行う。この制御は主に、触媒３３の温度を高めて活性化するための触媒活性モードにおいて実行される。
【００３７】
次に、当該エンジン１の排気側の構成について、主に図３、４を参照しながら、さらに詳細に説明する。図３は、エンジン１の排気側から視た排気マニホールド３１及びハウジング３２の部分の全体を示す正面図であり、図４は、図３の視線の方向に対して直交する方向（気筒列の方向）に視た排気マニホールド３１及びハウジング３２の部分の一部破断の側面図である。
【００３８】
排気マニホールド３１の上流端にはフランジ３１１が設けられ、排気マニホールド３１は、このフランジ３１１を介してエンジン１のシリンダヘッド３に固定される。前述の通り、排気マニホールド３１は、第１〜第３の独立通路部３１Ａ、３１Ｂ、３１Ｃを有し、それぞれの上流端は、シリンダヘッド３の側面に開口する３つの排気ポート７それぞれに接続されると共に、その下流端である排気マニホールド３１の出口には、詳細な図示は省略するが、３つの開口が気筒列方向に並んで形成されている。つまり、第１独立通路部３１Ａの第１開口部、第２独立通路部３１Ｂの第２開口部、及び、第３独立通路部３１Ｃの第３開口部が、この順に一直線上に配置されている。
【００３９】
排気マニホールド３１の出口端に接続されるハウジング３２の上流側には、排気の流れに沿って（平行に）立設する仕切板３２１が、その立設方向に直交する気筒列の方向（図における紙面に直交する方向）に所定の間隔だけ離間して、２枚設けられている。２枚の仕切板３２１の内の一方は、排気マニホールド３１の出口端との合わせ部において第１開口部と第２開口部とを仕切る壁面と連続するように立設されてハウジング３２内を仕切り、他方は、第２開口部と第３開口部とを仕切る壁面と連続するように立設されてハウジング３２内を仕切る。これにより、ハウジング３２内の上流側において、仕切板３２１に沿って排気が流れる区間では、２枚の仕切板３２１によって各独立通路部３１Ａ、３１Ｂ、３１Ｃの独立状態及び並列状態が維持されており、ハウジングにおけるこの部分が、複数の気筒Ｃの排気側にそれぞれ連通する複数の独立通路部３２Ａ、３２Ｂ、３２Ｃを構成することになる。
【００４０】
前述した可変絞り弁３２０は、ハウジング３２の上流側に配設されており、具体的には、排気の流れに交差する方向に設けられ、ハウジング３２に支持されたフラップ軸３２２と、フラップ軸３２２まわりに旋回可能とされた弁体としてのフラップ３２３と、ＥＣＵ１００からの制御信号（可変絞り弁３２０の開度指令）に基づいてフラップ軸３２２を回転させるアクチュエータ（図示省略）と、フラップ３２３を開弁方向に付勢するリターンスプリング（図示省略）とを含む。フラップ３２３は、フラップ軸３２２に沿って視てフラップ軸３２２を扇の要とする扇形断面の扇状面を有する。
【００４１】
ハウジング３２には上方に膨出する膨出部３２４が形成されており、膨出部３２４の内側にフラップ３２３が格納された状態（図４（ａ）に示す状態）が、可変絞り弁３２０の開弁（全開）状態である。可変絞り弁３２０が全開のときには、排気マニホールド３１の出口からハウジング３２内に導入された排気はフラップ３２３（可変絞り弁３２０）で絞られることなく、下流側の集合部３２Ｄに導かれる。
【００４２】
一方、フラップ３２３がフラップ軸３２２を中心に回転駆動され、膨出部３２４よりも内側に最も侵入した状態（図４（ｂ）に示す状態）が可変絞り弁３２０の閉弁（全閉）状態である。フラップ３２３は、アクチュエータによって全閉状態と全開状態との間で適宜開度調節される。
【００４３】
可変絞り弁３２０が全閉のときには、図４（ｂ）に示すように、フラップ３２３の扇状面が流路の一部を遮るので排気通路断面積が縮小される。従って、排気マニホールド３１の出口からハウジング３２内に導入された排気は可変絞り弁３２０によって絞られた後、集合部３２Ｄに導かれる。ここで、各仕切板３２１の各後縁は、可変絞り弁３２０が閉弁状態にあるときのフラップ３２３の扇状面に沿うように成形されている。従って、排気がフラップ３２３で絞られる際には、排気通路の独立状態及び並列状態が維持された状態で絞られる。従って、全閉状態の可変絞り弁３２０が、各独立通路部３２Ａ〜３２Ｃにおける集合部との接続端部において、各独立通路部３２Ａ〜３２Ｃの流路を縮小させる絞り部を構成することになる。
【００４４】
集合部３２Ｄは、ハウジング３２内において仕切板３２１の後縁よりも下流側に形成される部分である。ハウジング３２の下流端側にはフランジが設けられて、ターボ過給機２６のハウジングが接続されている。
【００４５】
以上のような構成において、エンジン１の運転状態が、第１の回転数以下となる低回転域にあるときには、ＥＣＵ１００は、可変絞り弁３２０を全閉とする（図４（ｂ）参照）。これにより、ハウジング３２内の各独立通路部３２Ａ〜３２Ｃは、その開口面積が小さくされた絞り状態にされる。
【００４６】
排気行程にある気筒から、排気ポート７及び排気マニホールド３１を経て、ハウジング３２の集合部３２Ｄへと向かう排気ガスは、可変絞り弁３２０（つまり、絞り部）で流速が高められた上で、集合部３２Ｄを経てターボ過給機２６へ供給される。これにより、ターボ過給機２６が効率よく作動する。特に、排気弁１０が開弁された直後に発生する勢いの強い排気ガス（ブローダウンガス）が、より流速が高められた状態でターボ過給機２６に供給されるため、エンジントルクが向上する。
【００４７】
また、前記の絞り部において排気ガスの流速が高められることによって、エゼクタ効果（吸い出し効果）が発揮されて、ある独立通路を流れる排気ガスが、他の独立通路へ向かって流れる（膨張される）ような事態が防止されると共に、エゼクタ効果によって他の独立通路中の残留排気ガスも合わせてターボ過給機２６へ供給されて、この分により、エンジントルクが向上されることになる。
【００４８】
さらに、エゼクタ効果によって、吸気行程にある気筒の掃気効果が高まって、この分、充填効率が向上されて（１０〜２０％程度の向上）、エンジントルクがさらに向上する。つまり、このエンジン１においては、第１気筒Ｃ１、第３気筒Ｃ３、第４気筒Ｃ４、第２気筒Ｃ２の順に点火順序が設定されており、例えば第１気筒Ｃ１が、膨張行程から排気行程への移行期（下死点付近）にあって、排気弁１０が開いて排気が燃焼室５から排気ポート７へ排出され始めたときに（つまりブローダウン時に）、第２気筒Ｃ２は排気行程から吸気行程への移行期（上死点付近）にある。この移行期において、動弁機構１２（ＶＶＴ）の制御により、吸気弁９と排気弁１０とが共に開弁しているオーバーラップ期間が設けられている。こうして、第１気筒Ｃ１のブローダウン時に、オーバーラップ期間が設けられている第２気筒Ｃ２内の既燃ガスが、エゼクタ効果により吸い出される結果、第２気筒Ｃ２の充填効率は向上するようになる。尚、排気行程と吸気行程との関係が成立する気筒関係は、次のようになる。すなわち、第１気筒Ｃ１（排気行程）と第２気筒Ｃ２（吸気行程）、第２気筒Ｃ２（排気行程）と第４気筒Ｃ４（吸気行程）、第３気筒Ｃ３（排気行程）と第１気筒Ｃ１（吸気行程）、第４気筒Ｃ４（排気行程）と第３気筒Ｃ３（吸気行程）である。
【００４９】
一方、エンジン回転数が高くなって、エンジン１の運転状態が第２の回転数よりも高い高回転域にあるときには、ＥＣＵ１００は、図４（ａ）に示すように、可変絞り弁３２０を全開にすることで、多量の排気ガスを効率よく排出させる。尚、第１の回転数と第２の回転数との間の、中間の回転域では、エンジン回転数が高いほど可変絞り弁３２０の開度が大きくなるように、可変絞り弁３２０の開度を中間開度に設定することによって、排気ガスの排出効率とエゼクタ効果とがバランスよく両立されることになる。
【００５０】
このエンジン１においてはさらに、前述したように、共通吸気通路２３におけるコンプレッサ２６Ａの下流側と、排気通路３０における可変絞り弁３２０の下流側でかつタービン２６Ｂの上流側との間をつなぐ、バイパス通路３４が設けられており、このバイパス通路３４に、ＥＣＵ１００によって開度が調整されるコントロールバルブ３４１が介設されている。
【００５１】
具体的に、このバイパス通路３４は、図３に示すように、ターボ過給機２６におけるコンプレッサ２６Ａの下流側に延びる吸気管から分岐するように設けられると共に、ハウジング３２の外側に一体的に設けられたコントロールバルブ３４１を介して、ハウジング３２の集合部３２Ｄ内に接続されており、その全長は比較的短く設定されている。このように、バイパス通路３４の下流端が、集合部３２Ｄ内に開口しているため、前述したように、可変絞り弁３２０を閉じて絞り部を絞った状態にしたときには、エゼクタ効果により、共通吸気通路２３を流れる新気が、バイパス通路３４を通じて、集合部３２Ｄに吸い出されるようになる。特にバイパス通路３４は、この構成においては、共通吸気通路２３におけるコンプレッサ２６Ａの下流側に接続されているため、過給圧が付加されており、その過給圧とエゼクタ効果との組み合わせにより、十分な量の新気が集合部３２Ｄに導入されることになる。この構成では、相対的に圧力が高い排気側に対して、例えば二次エアポンプ等の別途の駆動源を持たずに、新気を導入することが可能になる。
【００５２】
図５は、コントロールバルブ３４１の構成の一例を示している。このコントロールバルブ３４１は、その内部に、Ｕターン形式に構成された流路４１を備えており、その流路４１のＵターン部分に配置された弁体４２がアクチュエータ４３によって、同図に一点鎖線の矢印で示すように進退変位することで、バイパス通路３４を通過する新気の流量を調整するように構成されている。尚、流路４１の途中に、逆流防止用の逆止弁を設けてもよい。
【００５３】
バイパス通路３４を通じた排気側への新気の導入は、触媒３３の温度が所定温度以下のとき、言い換えると、触媒３３が不活性であって、その活性化が必要なときに実行され、具体的には、エンジン１の冷間始動時に実行される（つまり、触媒活性モード）。但し、触媒活性モードの実行は、エンジン１の冷間始動時に限定されない。また、触媒活性モードは、エンジン１の回転数が第１の回転数以下の低回転域にあるときに実行される。低回転域にあるときに、エゼクタ効果が有効に得られるためである。
【００５４】
ＥＣＵ１００は、排気通路３０において触媒３３の上流側に配置された排気温度センサ３５（図１参照）の検出値を受けて、触媒活性モードへの移行の要否を判断し、触媒活性モードへの移行が必要と判断したときには、可変絞り弁３２０を全閉にすると共に、バイパス通路３４上のコントロールバルブ３４１を開弁する。このときコントロールバルブ３４１は全開にしてもよい。
【００５５】
触媒活性モードにおいては、ＥＣＵ１００はさらにインジェクタ１１の制御を通じて、気筒Ｃから未燃燃料が排出されるようにする。具体的には、燃料リッチとなるように、必要量よりも多い燃料を気筒Ｃに供給する。このとき、余剰の燃料は、例えば圧縮上死点以降の膨張行程において燃料を気筒Ｃ内に噴射する後段噴射によって、気筒Ｃ内に供給してもよい。尚、後段噴射と共に、また、後段噴射に代えて、点火時期を圧縮上死点以降に設定してもよい。点火時期を遅らせることは、気筒Ｃから十分な量の未燃燃料を排出させる上で有利になる。
【００５６】
こうして触媒活性モードにおいては、バイパス通路３４を通じて排気側に導入された新気が、ハウジング３２からタービン２６Ｂへと供給されると同時に、気筒Ｃから排出された未燃燃料がタービン２６Ｂに供給される。そうしてこのタービン２６Ｂにおいて、新気及び未燃燃料が撹拌される結果、酸化反応が発生し、高温のガスがタービン２６Ｂから排出されるようになる。この高温のガスは、タービン２６Ｂの下流側に配置されている触媒３３に供給され、触媒の温度を高める。ここで、タービン２６Ｂと触媒３３との間には、何の部材も介在していないため、タービン２６Ｂから排出されたガスは、その温度がほとんど低下することなく、触媒３３に供給されるようになる。その結果、触媒３３の温度を速やかにかつ効率的に上昇させることが可能になる。
【００５７】
つまり、従来のエンジンでは、触媒活性モードでは、点火時期を膨張行程に設定する点火リタードによって、高温の既燃ガスを気筒Ｃから排出するようにしている。しかしながら、ターボ過給機付エンジンでは、エンジン１と触媒３３との間に介設されたタービン２６Ｂの熱容量が大きいため、既燃ガスの温度が、タービン２６Ｂを通過する際に低下してしまい、触媒３３に供給するガスの温度が低くなってしまうという問題がある。
【００５８】
これに対し、前記の構成では、タービン２６Ｂにおいて酸化反応を発生させ、それにより高温となったガスを触媒３３に供給するから、ガス温の低下が抑制され、極めて高温のガスを触媒３３に供給することが可能になる。その結果、触媒３３の温度を効率的に高めて、触媒３３を早期に活性化させることが可能になるから、燃費が向上する。
【００５９】
次に、バイパス路を通じた新気の導入による、触媒の温度上昇効果について実際に行った実施例を、図６、７を参照しながら説明する。図６の（ａ）は、コントロールバルブ３４１の開度に対するタービン２６Ｂの温度の関係、同図の（ｂ）は、コントロールバルブ３４１の開度に対する触媒上流側の温度の関係、同図の（ｃ）は、コントロールバルブ３４１の開度に対する触媒下流側の酸素濃度の関係、同図の（ｄ）は、コントロールバルブ３４１の開度に対する触媒下流側のＨＣ量の関係を示す。各図において、白丸は、点火時期をＢＴＤＣ０°ＣＡに設定した場合、白三角は、点火時期をＢＴＤＣ５°ＣＡに設定した場合、白四角は、点火時期をＢＴＤＣ−７°ＣＡに設定した場合である。尚、エンジン回転数は１８００ｒｐｍ、ＢＭＥＰは１００ｋＰａ、Ａ／Ｆは１０、つまり燃料リッチ、に設定されている。
【００６０】
先ず、同図（ａ）に示すタービン２６Ｂの温度について検討する。点火時期をＢＴＤＣ５°ＣＡに設定した場合（白三角）は、コントロールバルブ３４１の開度を大きくして、バイパス通路３４を通じてタービン２６Ｂに供給する新気量を増大しても、タービン２６Ｂの温度は高くならない。これは、点火時期が比較的早いため、気筒Ｃから排出される未燃燃料の量が少なく、その結果、タービン２６Ｂにおいて酸化反応が十分に発生していないと考えられる。これに対し、点火時期をＢＴＤＣ０°ＣＡに設定した場合（白丸）や、点火時期をＢＴＤＣ−７°ＣＡに設定した場合（白四角）は、コントロールバルブ３４１の開度を大きくして、バイパス通路３４を通じてタービン２６Ｂに供給する新気量を増大させることに伴い、タービン２６Ｂの温度が次第に上昇する。特に、点火時期をＢＴＤＣ−７°ＣＡに設定した場合の方が、タービン２６Ｂの温度が高くなりやすい。これは、点火時期を遅らせることによって気筒Ｃから排出される未燃燃料の量が増えると共に、コントロールバルブ３４１の開度を大きくして必要量の新気がタービン２６Ｂに供給される結果、タービン２６Ｂにおいて十分な酸化反応が発生し、ガス温が上昇したためと考えられる。
【００６１】
次に、同図（ｂ）に示す触媒上流の温度について検討する。触媒３３の早期活性化のために、触媒上流の温度は、同図に示すＴ１以上の温度に設定することが望ましい。点火時期をＢＴＤＣ５°ＣＡに設定した場合（白三角）は、前述の通り、タービン２６Ｂの温度が高まらないため、触媒上流の温度も高くならない。これに対し、点火時期をＢＴＤＣ０°ＣＡに設定した場合（白丸）や、点火時期をＢＴＤＣ−７°ＣＡに設定した場合（白四角）は、タービン２６Ｂの温度が上昇することに伴い、触媒上流の温度も高まるようになる。特に、点火時期をＢＴＤＣ−７°ＣＡに設定したときには、コントロールバルブ３４１を全開付近にすることで、触媒上流の温度を目標温度であるＴ１以上にすることが可能になる。これは、同図（ａ）に示すように、タービン２６Ｂの温度がＴ１を大きく超えることに対応する。
【００６２】
次に、同図（ｃ）に示す酸素濃度について検討する。点火時期をＢＴＤＣ５°ＣＡに設定した場合（白三角）は、コントロールバルブ３４１の開度が大きくなるに従って、酸素濃度が次第に高くなる。前述の通り、点火時期をＢＴＤＣ５°ＣＡに設定した場合は、タービン２６Ｂにおける酸化反応が十分に発生しないため、排気側に導入された新気が、ほとんどそのまま、タービン２６Ｂ及び触媒３３を通過して排出されていると考えられる。つまり、コントロールバルブ３４１の開度が大きくなり、排気側に導入される新気量が増大することに比例して、酸素濃度が上昇するのである。これに対し、点火時期をＢＴＤＣ０°ＣＡに設定した場合（白丸）や、点火時期をＢＴＤＣ−７°ＣＡに設定した場合（白四角）は、同図（ａ）においてタービン２６Ｂの温度上昇が開始する開度付近から、酸素濃度が低下している。このことは、タービン２６Ｂにおいて酸化反応が発生し、そこで酸素が消費されているということができる。特に、点火時期をＢＴＤＣ−７°ＣＡに設定した場合においては、酸素濃度が極めて低くなっており、タービン２６Ｂに供給された新気（酸素）が、酸化反応により、ほとんど消費されているということができる。
【００６３】
最後に、同図（ｄ）に示すＨＣ量について検討する。点火時期をＢＴＤＣ５°ＣＡに設定した場合（白三角）は、コントロールバルブ３４１の開度を大きくしても、ＨＣ量が高いままになる。これは、前述の通り、タービン２６Ｂにおける酸化反応が十分に発生せず、気筒Ｃから排出された未燃燃料の多くが排出されているということができる。これに対し、点火時期をＢＴＤＣ０°ＣＡに設定した場合（白丸）や、点火時期をＢＴＤＣ−７°ＣＡに設定した場合（白四角）は、コントロールバルブ３４１の開度が大きくなるに従ってＨＣ量が少なくなっており、タービン２６Ｂにおける酸化反応が十分に発生していることがわかる。特に、点火時期をＢＴＤＣ−７°ＣＡに設定した場合は、コントロールバルブ３４１を全開付近にしたときにＨＣ量が実質的にゼロになっており、未燃燃料が排出されてしまうことが回避されている。
【００６４】
図７は、バイパス通路３４を介した新気の導入と燃料リッチとによって触媒３３の活性化を図る実施例と、点火リタードにより触媒３３の活性化を図る比較例とについて、触媒上流の温度と燃費との関係を示している。尚、エンジン１の運転状態は、回転数が１８００ｒｐｍで、ＢＭＥＰ＝１００ｋＰａである。同図における黒菱形が、点火リタードにより触媒の活性化を図る比較例であり、比較例では、Ａ／Ｆを１４．５に設定している。同図においては、点火時期を、ＢＴＤＣ１０°ＣＡから、５°ＣＡずつ遅らせており、点火時期を遅らせるに従って、触媒上流の温度は次第に高くなる一方で、燃費も次第に悪化することになる。尚、比較例では、点火時期をＢＴＤＣ−１０°ＣＡよりも遅らせることはできず、それ以降は、破線によって仮想的に示している。比較例においては、点火時期をＢＴＤＣ−７°ＣＡに設定することが実用的である。
【００６５】
これに対し、白丸は、前述した空気導入の実施例を示しており、実施例では、比較例よりも燃料リッチなＡ／Ｆ＝１１に設定している。尚、点火時期はＢＴＤＣ−７°ＣＡである。例えば、比較例と実施例とを同一燃費で比較したときには、触媒上流の温度は、実施例の方が大幅に高くなり、触媒の活性化を早期に実現することが可能である。触媒活性に要する時間が短縮する分、燃費の向上にも有利になる。また、同一温度で比較したときには、燃費は、実施例の方が大きく向上することになる。つまり、バイパス通路３４を介した新気の導入と燃料リッチとによって触媒３３の活性化を図る構成は、触媒３３を早期に活性化することができると共に、燃費の向上にも有利である。
【００６６】
また、前述したように、排気側に新気を導入する構成として可変絞り弁３２０の閉弁によるエゼクタ効果を利用しているため、別途の駆動源が不要になり、このこともまた、燃費の向上に有利であると共に、エンジンシステムが簡素化する。
【００６７】
尚、前記の構成では、バイパス通路３４の上流端を、共通吸気通路２３におけるコンプレッサ２６Ａの下流側に設定しているが、バイパス通路３４の上流端は、共通吸気通路上であれば（特に、エアフローセンサの下流側であれば）、任意の位置に設定することが可能である。但し、コンプレッサ２６Ａの下流側に設定することは、前述したように、新気を排気側に導入する際に、過給圧を利用することが可能になるから、新気を効果的にかつ十分に排気側に導入して、燃費の向上及び排気エミッション性能の向上を図る上では、バイパス通路３４の上流端をコンプレッサ２６Ａの下流側に設定することが好ましい。
【００６８】
また、前記の構成では、バイパス通路３４上に介設したコントロールバルブ３４１を、流量調整弁によって構成しているが、バイパス通路３４に、開閉弁を介設するようにしてもよい。
【００６９】
また、ここに開示する技術は、４気筒以外の多気筒エンジンにも適用することが可能である。例えば３気筒エンジンの場合は、排気マニホールド及びハウジングの各独立通路を、それぞれ異なる一つの気筒に連通させればよい。また、例えば６気筒エンジン（直列６気筒、Ｖ型６気筒）においては、排気順序が連続しない気筒同士の各独立通路を合流させて３本の排気通路を形成し、これらの排気通路をターボ過給機２６に接続してもよい。
【００７０】
さらに、可変絞り弁３２０としては、前述したフラップ構造に限定されず、例えばその一部に切り欠き（絞り）が形成されたバタフライバルブを採用してもよい。
【符号の説明】
【００７１】
１  エンジン（エンジン本体）
１１  インジェクタ（燃料供給手段）
２３  共通吸気通路（吸気通路）
２６  ターボ過給機
２６Ａ  コンプレッサ
２６Ｂ  タービン
３０  排気通路
３１Ａ、３１Ｂ、３１Ｃ  独立通路部（排気マニホールド）
３２Ａ、３２Ｂ、３２Ｃ  独立通路部（ハウジング）
３２Ｄ  集合部
３２０  可変絞り弁（絞り部）
３３  触媒
３４  バイパス通路
Ｃ  気筒
【図１】
0005906784.tif 000002
【図２】
0005906784.tif 000003
【図３】
0005906784.tif 000004
【図４】
0005906784.tif 000005
【図５】
0005906784.tif 000006
【図６】
0005906784.tif 000007
【図７】
0005906784.tif 000008